【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
方法であって、
局でデータシンボルを生成することと、
テレビ（ＴＶ）高スループット（ＴＶＨＴ）帯域幅チャネルを介して前記データシンボルを前記局から送信することを備え、前記ＴＶＨＴ帯域幅チャネルを介して前記データシンボルを送信するために１つ以上のフレーム間タイミングパラメータが使用され、前記１つ以上のフレーム間タイミングパラメータは、６メガヘルツ、ＭＨｚ、帯域幅チャネルに関して又は７ＭＨｚ帯域幅チャネルに関しては１２０マイクロ秒、μｓ、８ＭＨｚ帯域幅チャネル、又はそれらの組み合わせに関しては９０μｓの短フレーム間スペース、ＳＩＦＳ、時間を備える、方法。
【請求項２】
前記データシンボルは、超高スループット、ＶＨＴ、データシンボルを備える、請求項１に記載の方法。
【請求項３】
前記１つ以上のフレーム間タイミングパラメータは、前記６ＭＨｚ帯域幅チャネル又は前記７ＭＨｚ帯域幅チャネルに関しては１５μｓのクリアチャネルアセスメント、ＣＣＡ、時間をさらに備える、請求項１に記載の方法。
【請求項４】
前記１つ以上のフレーム間タイミングパラメータは、８ＭＨｚ帯域幅チャネルに関しては１１．２５μ秒（μｓ）のクリアチャネルアセスメント、ＣＣＡ、時間および９０μｓの第２のＳＩＦＳ時間をさらに備える請求項１に記載の方法。
【請求項５】
前記ＴＶＨＴ帯域幅チャネルを介しての前記データシンボルの送信は、前記データシンボルに関連付けられたスペクトルフラット性制約事項を満たす、請求項１に記載の方法。
【請求項６】
前記スペクトルフラット性制約事項は、１つ以上の２位相偏移変調、ＢＰＳＫ、されたプロトコルデータユニット、ＰＤＵ、を用いてスペクトルフラット性測定値に基づいて満たされると決定される請求項５に記載の方法。
【請求項７】
前記ＴＶＨＴ帯域幅チャネルの送信中心周波数は、ターゲット送信中心周波数の−２５パーツ・パー・ミリオン、ｐｐｍ、乃至＋２５ｐｐｍの範囲内にあり、かつターゲットシンボルクロック周波数の−２５ｐｐｍ乃至＋２５ｐｐｍのシンボル範囲内にある、請求項１に記載の方法。
【請求項８】
前記ＴＶＨＴ帯域幅チャネルを介してプロトコルデータユニット、ＰＤＵ、を前記局から送信することをさらに備え、前記ＰＤＵを送信する間に使用される無線周波数局部発振器、ＲＦ  ＬＯ、の周波数が前記ＴＶＨＴ帯域幅チャネルの中心にあるときには、前記ＴＶＨＴ帯域幅チャネルの前記中心で測定された電力は、
前記ＰＤＵの副搬送波当たりの平均電力、又はＰ−１０ｌｏｇ１０（ＮＳＴ）の値のうちの少なくとも１つよりも小さく、ここで、Ｐは、総送信電力であり、ＮＳＴは、周波数セグメント当たりの副搬送波の数である、請求項１に記載の方法。
【請求項９】
前記ＴＶＨＴ帯域幅チャネルを介してプロトコルデータユニット、ＰＤＵ、を前記局から送信することをさらに備え、前記ＰＤＵを送信する間に使用される無線周波数局部発振器、ＲＦ  ＬＯ、の周波数がＴＶＨＴ帯域幅チャネルの中心にないときには、前記ＲＦ  ＬＯの位置で測定された電力は、−２０ｄＢｍの第１の値又は−３２デシベル、ｄＢ、と総送信電力の和に等しい第２の値のうちの大きい方よりも小さく、前記ＰＤＵが、２つの隣接しない周波数セグメント又は２つの隣接しない周波数セクションと関連付けられている関連するとき及び前記ＲＦ  ＬＯの前記周波数が両方の隣接しない周波数セグメント又は両方の隣接しない周波数セクションの外側にあるときには、前記ＲＦ  ＬＯは、１つ以上のスペクトルマスクに関する制約事項に準拠する、請求項１に記載の方法。
【請求項１０】
前記２つの隣接しない周波数セクションの各周波数セクションは、２つの隣接する周波数セグメントを備える、請求項９に記載の方法。
【請求項１１】
装置であって、
データシンボルを生成するための手段と、
テレビ（ＴＶ）高スループット、ＴＶＨＴ、帯域幅チャネルを介して前記データシンボルを送信するための手段と、を備え、前記ＴＶＨＴ帯域幅チャネルを介して前記データシンボルを送信するために１つ以上のフレーム間タイミングパラメータが使用され、前記１つ以上のフレーム間タイミングパラメータは、６メガヘルツ、ＭＨｚ、帯域幅チャネルに関して又は７ＭＨｚ帯域幅チャネルに関しては１２０マイクロ秒（μｓ）の短フレーム間スペース、ＳＩＦＳ、時間を備える、装置。
【請求項１２】
前記１つ以上のフレーム間タイミングパラメータは、前記６ＭＨｚ帯域幅チャネル又は前記７ＭＨｚ帯域幅チャネルに関しては１５μｓのクリアチャネルアセスメント、ＣＣＡ、時間をさらに備える、請求項１１に記載の装置。
【請求項１３】
前記データシンボルは、超高スループット、ＶＨＴ、データシンボルを備える、請求項１１に記載の装置。
【請求項１４】
前記ＴＶＨＴ帯域幅チャネルを介しての前記データシンボルの送信は、前記データシンボルと関連付けられたスペクトルフラット性制約事項を満たす、請求項１１に記載の装置。
【請求項１５】
前記スペクトルフラット性制約事項は、１つ以上の２位相偏移変調、ＢＰＳＫ、されたプロトコルデータユニット、ＰＤＵ、を用いてスペクトルフラット性測定値に基づいて満たされると決定される、請求項１４に記載の装置。
【請求項１６】
ＴＶＨＴ帯域幅チャネルを介しての前記データシンボルの送信は、送信機コンステレーションエラー制約事項に準拠する送信コンステレーション二乗平均平方根、ＲＭＳ、エラーを有し、前記ＴＶＨＴ帯域幅チャネルの送信中心周波数は、ターゲット送信中心周波数の−２５パーツ・パー・ミリオン、ｐｐｍ、乃至＋２５ｐｐｍの第１の範囲内にあり、前記データシンボルの送信中に使用されるシンボルクロック周波数は、ターゲットシンボルクロック周波数の−２５ｐｐｍ乃至＋２５ｐｐｍの第２の範囲内にある、請求項１１に記載の装置。
【請求項１７】
プロトコルデータユニット、ＰＤＵ、を生成するための手段と、
前記ＴＶＨＴ帯域幅チャネルを介して前記ＰＤＵを送信するための手段と、をさらに備え、前記ＰＤＵの送信中に使用される無線周波数局部発振器、ＲＦ  ＬＯ、が前記ＴＶＨＴ帯域幅チャネルの中心にあるときには、前記ＴＶＨＴ帯域幅チャネルの前記中心で測定された電力は、
前記ＰＤＵの副搬送波当たりの平均電力、又はＰ−１０ｌｏｇ１０（ＮＳＴ）の値のうちの少なくとも１つよりも小さく、ここで、Ｐは、総送信電力であり、ＮＳＴは、周波数セグメント当たりの副搬送波の数である、請求項１１に記載の装置。
【請求項１８】
プロトコルデータユニットを生成するための手段と、
前記ＴＶＨＴ帯域幅チャネルを介して前記ＰＤＵを送信するための手段と、をさらに備え、前記ＰＤＵが送信される間に使用される無線周波数局部発振器、ＲＦ  ＬＯ、の周波数が前記ＴＶＨＴ帯域幅チャネルの中心にないときには、前記ＲＦ  ＬＯの位置で測定された電力は、−２０ｄＢｍの第１の値又は−３２デシベル（ｄＢ）と総送信電力の和に等しい第２の値のうちの大きい方よりも小さく、前記ＰＤＵが、２つの隣接しない周波数セグメント又は２つの隣接しない周波数セクションと関連付けられているとき及び前記ＲＦ  ＬＯの前記周波数が両方の隣接しない周波数セグメント又は両方の隣接しない周波数セクションの外側にあるときには、前記ＲＦ  ＬＯは、１つ以上のスペクトルマスクに関する制約事項に準拠する、請求項１１に記載の装置。
【請求項１９】
前記２つの隣接しない周波数セクションの各周波数セクションは、２つの隣接する周波数セグメントを備える、請求項１８に記載の装置。